(57)【要約】【課題】本発明は、複数の入力端子に同時にオン信号が入力されたときには設定された起動順に起動制御信号又は電圧を出力し、個別にオン信号が入力されたときには、個別起動を行えるように構成した起動制御回路、起動制御方法、及びこれらを用いた多出力電源装置又は多出力電源起動制御方法を提供することを目的とする。【解決手段】優先順が定められて配置されたＮ個（Ｎは２以上の自然数）の入力端子ＳＷｎと該入力端子ＳＷｎに対応する起動制御信号出力端子ＣＴＬｎとを有する端子を備え、該入力端子ＳＷｎのオン信号に基づいて前記起動制御信号出力端子ＣＴＬｎから出力される起動制御信号を制御する起動制御回路１００であって、  前記Ｎ個の入力端子ＳＷｎにオン信号が同時に入力されたときには、所定の順番で前記起動制御信号出力端子ＣＴＬｎから起動制御信号を出力し、  前記入力端子ＳＷｎにオン信号が個別に入力されたときには、前記入力端子ＳＷｎに対応する前記起動制御信号出力端子ＣＴＬｎから個別に起動制御信号を出力する。【選択図】図１
2008102707.tif 000002
【特許請求の範囲】
【請求項１】
優先順が定められて配置されたＮ個（Ｎは２以上の自然数）の入力端子と該入力端子に対応する起動制御信号出力端子とを有する端子を備え、該入力端子のオン信号に基づいて前記起動制御信号出力端子から出力される起動制御信号を制御する起動制御回路であって、
前記Ｎ個の入力端子にオン信号が同時に入力されたときには、所定の順番で前記起動制御信号出力端子から起動制御信号を出力し、
前記入力端子にオン信号が個別に入力されたときには、前記入力端子に対応する前記起動制御信号出力端子から個別に起動制御信号を出力することを特徴とする起動制御回路。
【請求項２】
前記起動制御回路は、前記Ｎ個の入力端子に対応するソフトスタート信号出力端子と、優先端子状態監視回路を有し、
該優先端子状態監視回路は、ｎ番目の入力端子、ｎ番目の前記起動制御信号出力端子及びｎ番目のソフトスタート信号出力端子のオン・オフ信号に基づいて、前記入力端子がオフ状態であるとき、又は前記起動制御信号出力端子がオン状態でかつソフトスタート終了後のときに、自己の出力端子から（ｎ＋１）番目の端子のソフトスタート起動が可能な状態であることを示すソフトスタート起動可能信号を出力することを特徴とする請求項１に記載の起動制御回路。
【請求項３】
前記起動制御回路は、（ｎ＋１）番目の前記ソフトスタート信号出力端子及び（ｎ＋１）番目の前記起動制御信号出力端子と、ｎ番目の前記入力端子に係る前記優先端子状態監視回路の出力端子とを入力とする個別起動オン制御回路を有し、
該個別起動オン制御回路は、（ｎ＋１）番目の前記起動制御信号出力端子がオン状態でかつソフトスタート終了後と、ｎ番目の前記ソフトスタート起動可能信号が出力されているときにオン信号を出力することを特徴とする請求項２に記載の起動制御回路。
【請求項４】
前記起動制御回路は、ｎ番目の入力端子の入力信号と、前記個別起動オン制御回路の出力信号とがオン状態のときに最終的な起動制御信号を出力することを特徴とする請求項３に記載の起動制御回路。
【請求項５】
前記起動制御回路は、（１〜ｎ）番目の総ての前記入力端子と該入力端子に対応する（１〜ｎ）番目のソフトスタート信号出力端子の出力信号を監視し、総てのソフトスタート起動が終了した時点で（ｎ＋１）番目の起動制御信号を出力する制御を行うことを特徴とする請求項１に記載の起動制御回路。
【請求項６】
請求項１乃至４に記載の起動制御回路を備え、前記起動制御出力端子の各々が電圧出力部に接続されている多出力電源装置であって、
前記スイッチ端子からの入力電圧に基づいて、前記電圧出力部から複数の電圧を、前記起動制御回路により制御された順序で出力することを特徴とする多出力電源装置。
【請求項７】
Ｎ個（Ｎは２以上の自然数）の入力端子からの入力信号に基づいて、前記入力端子に対応する起動制御信号出力端子から順序を定めて起動制御信号を出力する起動制御方法であって、
前記Ｎ個の入力端子にオン信号が同時に入力されたときには、所定の順番で前記起動制御信号出力端子から起動制御信号を出力し、
前記入力端子にオン信号が個別に入力されたときには、前記入力端子に対応する前記起動制御出力端子から個別に起動制御信号を出力することを特徴とする起動制御方法。
【請求項８】
前記入力端子からの入力信号の電圧に基づいて電圧変換を行う電圧変換部を備え、請求項７に記載の起動制御方法により定められた出力順序で複数の電圧を出力することを特徴とする多出力電源起動制御方法。
【発明の詳細な説明】
【技術分野】
【０００１】
本発明は、複数の端子を有し、入力端子からの入力オン・オフ信号に基づいて、出力端子からの起動信号の出力順序を制御する起動制御回路、起動制御方法及びこの起動制御回路を搭載した多出力電源装置とこの起動制御方法を用いた多出力電源起動制御方法に関する。
【背景技術】
【０００２】
近年の電子機器は、内部回路を起動させるために複数の電圧を必要とするが、その場合において、電源出力の起動順を守らなければ、不具合を生じてしまう場合がある。この問題を解決するために、従来から、複数の電圧出力部の出力電圧のうちの１つと比較して、比較される出力電圧が所定電圧に達したときに他の電圧出力部をオンさせる多出力電源装置が知られている（例えば、特許文献１参照）。
【０００３】
図１１は、特許文献１に記載された多出力電源装置の構成を示したブロック図である。図１１において、入力端子ＶＴから、入力電圧ＶＩＮが入力される。電圧変換部Ｐ０〜Ｐ２において、入力電圧ＶＩＮが変換され、それぞれ出力端子ＯＴ０〜ＯＴ２に出力電圧ＶＯＵＴ０〜ＶＯＵＴ２を出力する。
【０００４】
ここで、制御端子ＣＴから制御信号ＣＴＬ０が出力されるようになっており、制御信号ＣＴＬ０がアクティブのときに電圧変換部Ｐ０から出力電圧ＶＯＵＴ０が出力される。ＶＯＵＴ０は、制御信号発生部ＶＭ１に入力され、ＶＯＵＴ０が所定電圧以上であって、ＣＴＬ０がアクティブのときに制御信号ＣＴＬ１が出力され、電圧変換部Ｐ１へ送られる。そしてＶＯＵＴ１が出力され、ＶＯＵＴ１が所定の電圧より大きいときに、制御信号発生部ＶＭ２で制御信号ＣＴＬ２が出力され、電圧変換部Ｐ２から出力電圧ＶＯＵＴ２が出力される。
【０００５】
このように、特許文献１に記載の多出力電源装置では、ＶＯＵＴ０〜ＶＯＵＴ２が、前の出力端子から出力電圧を出力後に、次の出力端子が順次電圧を出力するように構成されている。
【特許文献１】特開２００６−１９１７０５号公報
【発明の開示】
【発明が解決しようとする課題】
【０００６】
しかしながら、特許文献１に記載の構成では、いかなる場合であっても、出力電圧ＶＯＵＴ１を立ち上げるためにはＶＯＵＴ０が立ち上がっていなければならず、各端子を個別起動したいような場合でも、個別起動ができないという問題があった。また、前の端子の出力電圧の値に基づいて次の端子の電圧出力を行うため、出力電圧を検出する必要があり、そのため検出用端子をＩＣの外側に出す必要があった。更に、負電圧出力を検出する場合には、極性反転回路が必要となるという煩わしさもあった。
【０００７】
そこで、本発明は、複数の入力端子に同時にオン信号が入力されたときには設定された起動順に起動制御信号又は電圧を出力し、個別にオン信号が入力されたときには、個別起動を行えるように構成した起動制御回路、起動制御方法、及びこれらを用いた多出力電源装置又は多出力電源起動制御方法を提供することを目的とする。
【課題を解決するための手段】
【０００８】
上記目的を達成するため、第１の発明に係る起動制御回路（１００）は、優先順が定められて配置されたＮ個（Ｎは２以上の自然数）の入力端子（ＳＷｎ）と該入力端子（ＳＷｎ）に対応する起動制御信号出力端子（ＣＴＬｎ）とを有する端子を備え、該入力端子（ＳＷｎ）のオン信号に基づいて前記起動制御信号出力端子（ＣＴＬｎ）から出力される起動制御信号を制御する起動制御回路（１００）であって、
前記Ｎ個の入力端子（ＳＷｎ）にオン信号が同時に入力されたときには、所定の順番で前記起動制御信号出力端子（ＣＴＬｎ）から起動制御信号を出力し、
前記入力端子（ＳＷｎ）にオン信号が個別に入力されたときには、前記入力端子（ＳＷｎ）に対応する前記起動制御信号出力端子（ＣＴＬｎ）から個別に起動制御信号を出力することを特徴とする。これにより、予め設定された所定の順序で起動制御信号を出力するだけでなく、個別の起動も可能となり、柔軟な起動制御が可能となる。
【０００９】
第２の発明は、第１の発明に係る起動制御回路（１００）において、
前記起動制御回路（１００）は、前記Ｎ個の入力端子（ＳＷｎ）に対応するソフトスタート信号出力端子（３０ａ、３１ａ、３２ａ）と、優先端子状態監視回路（１３）を有し、
該優先端子状態監視回路（１３）は、ｎ番目の入力端子（ＳＷｎ）、ｎ番目の前記起動制御信号出力端子（ＣＴＬｎ）及びｎ番目のソフトスタート信号出力端子（３０ａ、３１ａ、３２ａ）のオン・オフ信号に基づいて、前記入力端子（ＳＷｎ）がオフ状態であるとき、又は前記起動制御信号出力端子（ＣＴＬｎ）がオン状態でかつソフトスタート終了後のときに、自己の出力端子（Ｘ）から（ｎ＋１）番目の端子のソフトスタート起動が可能な状態であることを示すソフトスタート起動可能信号を出力することを特徴とする。これにより、起動順が優先するｎ番目の端子の状態を監視し、次の（ｎ＋１）番目の端子の順次起動と個別起動が可能な状態を定めることができる。
【００１０】
第３の発明は、第２の発明に係る起動制御回路（１００）において、
前記起動制御回路（１００）は、（ｎ＋１）番目の前記ソフトスタート信号出力端子（３０ａ、３１ａ、３２ａ）及び（ｎ＋１）番目の前記起動制御信号出力端子（ＣＴＬｎ＋１）と、ｎ番目の前記入力端子（ＳＷｎ）に係る前記優先端子状態監視回路（１３）の出力端子（Ｘ）とを入力とする個別起動オン制御回路（１４）を有し、
該個別起動オン制御回路（１４）は、（ｎ＋１）番目の前記起動制御信号出力端子（ＣＴＬｎ＋１）がオン状態でかつソフトスタート終了後と、ｎ番目の前記ソフトスタート起動可能信号が出力されているときにオン信号を出力することを特徴とする。これにより、（ｎ＋１）番目の個別起動オン制御回路が、ソフトスタート終了後には独立して（ｎ＋１）番面の起動制御出力信号のオン状態を維持し、ソフトスタート期間中には、ｎ番目の優先端子状態監視回路の出力信号により起動制御出力信号をオンとすることができる。
【００１１】
第４の発明は、第３の発明に係る起動制御回路において、
前記起動制御回路は、（ｎ＋１）番目の入力端子（ＳＷｎ＋１）の入力信号と、（ｎ＋１）番目の前記個別起動オン制御回路（１４）の出力信号とがオン状態のときに最終的な（ｎ＋１）番目の起動制御信号を出力することを特徴とする。これにより、（ｎ＋１）番目の入力端子にオン信号が入っているときにのみ、（ｎ＋１）番目の起動制御出力信号を出力することができる。
【００１２】
第５の発明は、第１の発明に係る起動制御回路（１００）において、
前記起動制御回路（１００）は、（１〜ｎ）番目の総ての前記入力端子（ＳＷ０〜ＳＷｎ−１）と該入力端子（ＳＷ０〜ＳＷｎ−１）に対応する（１〜ｎ）番目のソフトスタート信号出力端子（ＣＨ０  ＳＳＴＲＩＧ〜ＣＨｎ−１  ＳＳＴＲＩＧ）の出力信号を監視し、総てのソフトスタート起動が終了した時点で（ｎ＋１）番目の起動制御信号（ＣＴＬｎ）を出力する制御を行うことを特徴とする。これにより、（ｎ＋１）番目の端子と（１〜ｎ）番目の任意の端子を接続して同時にオンすることにより、任意の端子との組み合わせについて順次起動と個別起動を実行することができる。
【００１３】
第６の発明に係る多出力電源装置は、第１〜４の発明に係る起動制御回路（１００）を備え、前記起動制御出力端子（ＣＴＬｎ）の各々が電圧出力部（ＶＯＵＴｎ）に接続されている多出力電源装置であって、
前記スイッチ端子からの入力電圧に基づいて、前記電圧出力部（ＶＯＵＴｎ）から複数の電圧を、前記起動制御回路（１００）により制御された順序で出力することを特徴とする。これにより、設定した起動順に電圧を出力するだけでなく、個別に入力オン信号を入力した場合に、個別に電圧を出力できる多出力電源装置を実現できるとともに、該多出力電源装置は単純なロジックで構成されているため、複合電源ＩＣ（集積回路）の縮小化にも寄与できる。
【００１４】
第７の発名に係る起動制御方法は、Ｎ個（Ｎは２以上の自然数）の入力端子（ＳＷｎ）からの入力信号に基づいて、前記入力端子（ＳＷｎ）に対応する起動制御信号出力端子（ＣＴＬｎ）から順序を定めて起動制御信号を出力する起動制御方法であって、
前記Ｎ個の入力端子（ＳＷｎ）にオン信号が同時に入力されたときには、所定の順番で前記起動制御信号出力端子（ＣＴＬｎ）から起動制御信号を出力し、
前記入力端子（ＳＷｎ）にオン信号が個別に入力されたときには、前記入力端子（ＳＷｎ）に対応する前記起動制御出力端子（ＣＴＬｎ）から個別に起動制御信号を出力することを特徴とする。これにより、設定された起動順に起動制御信号を出力するだけでなく、設定された起動順に関わらず、個別に起動制御信号を出力することができる。
【００１５】
第８の発明に係る多出力電源起動制御方法は、前記入力端子（ＳＷｎ）からの入力信号の電圧に基づいて電圧変換を行う電圧変換部（６０、６１、６２）を備え、第７の発明に係る起動制御方法により定められた出力順序で複数の電圧を出力することを特徴とする。これにより、多出力電源の出力電圧を、設定順に出力するだけでなく、個別に出力することも可能となる。
【００１６】
なお、上記括弧内の参照符号は、理解を容易にするために付したものであり、一例にすぎず、図示の態様に限定されるものではない。
【発明の効果】
【００１７】
本発明によれば、起動制御信号出力端子を複数有する起動制御回路において、設定された起動順に起動制御信号を出力するだけでなく、個別に起動制御信号を出力することができ、更にこの起動制御回路又は起動制御方法を、多出力電源装置や多出力電源装置の起動制御方法に適用できる。
【発明を実施するための最良の形態】
【００１８】
以下、図面を参照して、本発明を実施するための最良の形態の説明を行う。
【００１９】
図１は、本発明に係る起動制御回路１００を多出力電源装置に適用する実施例の一態様を示した機能ブロック図である。図１において、主要な構成要素は、入力端子であるスイッチ端子ＳＷ０、ＳＷ１、ＳＷ２と、起動制御信号発生ロジック１１、１２と、起動制御出力端子ＣＴＬ０、ＣＴＬ１、ＣＴＬ２と、ソフトスタート起動回路２０、２１、２２とから構成される。また、ソフトスタート起動回路２０、２１、２２は、内部にソフトスタートトリガ出力回路３０、３１、３２を備え、ソフトトスタートリガ出力回路３０、３１、３２は、各々ソフトスタート信号出力端子３０ａ、３１ａ、３２ａを有している。
【００２０】
図１において、入力端子ＳＷ０、ＳＷ１、ＳＷ２は３個、起動制御信号発生ロジック１１、１２は２個、起動制御出力端子ＣＴＬ０、ＣＴＬ１、ＣＴＬ２は３個、ソフトスタート起動回路２０、２１、２２は３個示されているが、これらは、もっと多く備えられてよい。例えば、入力端子ＳＷ０、ＳＷ１、ＳＷ２は２個以上であれば何個あってもよく、Ｎ個（Ｎは２以上の自然数）存在してよい。他の構成要素についても同様であり、起動制御信号発生ロジック１１、１２が入力端子ＳＷ０、ＳＷ１、ＳＷ２より１個少なく備えられていることを除けば、入力端子ＳＷがＮ個ある場合には、他の構成要素は対応してＮ個設けられてよい。また、この場合、起動信号発生ロジック１１、１２は、例えば（Ｎ−１）個備えられてもよい。
【００２１】
以上が、本実施例に係る起動制御回路１００の主要構成要素であるが、本実施例においては、起動制御回路１００が多出力電源装置に適用されているので、更に電圧変換部６０、６１、６２と、電圧出力端子ＶＯＵＴ０、ＶＯＵＴ１、ＶＯＵＴ２とを備えてよい。また、本実施例に係る多出力電源装置は、例えば、複合電源ＩＣに適用されてよい。
【００２２】
入力端子ＳＷ０、ＳＷ１、ＳＷ２には、オン又はオフの入力信号が入力される。なお、本明細書又は図面において、オン信号のときはＨ（ハイ）、オフ信号のときはＬ（ロー）と示す場合もあるが、同じ内容を意味する。入力信号の入力電圧は、ＩＣ内部の回路を動作するのに適切な電圧であってよい。入力端子は、同時にオン信号又はオフ信号が入力されるときには、例えば接続線８０、８１によって、総ての入力端子が接続されてよい。これにより、例えば入力端子ＳＷ０、ＳＷ１、ＳＷ２のいずれか１つにオン信号が入力されたときも、総ての入力端子ＳＷ０、ＳＷ１、ＳＷ２に同時にオン信号を入力することができる。
【００２３】
一方、接続線８０、８１による入力端子ＳＷ０、ＳＷ１、ＳＷ２同士の接続は行わずに、入力端子ＳＷ０、ＳＷ１、ＳＷ２のいずれかに、個別にオン信号を入力してもよい。この場合は、入力端子ＳＷ０、ＳＷ１、ＳＷ２に入力されたオン信号は、他の入力端子には影響を与えず、オン信号を入力した入力端子のみが個別にオン状態になる。
【００２４】
なお、接続線８０、８１は、説明を分かり易くするために記載したものであり、実際の起動制御回路１００及び多出力電源装置においては、入力端子ＳＷ０、ＳＷ１、ＳＷ２に同時に入力信号を入力したり、個別に入力信号を入力できるように構成されていればよく、例えばソフト的にそのような信号処理をしてもよい。
【００２５】
起動制御信号発生ロジック１１、１２は、入力のオン・オフ状態に基づいて、起動制御信号出力端子ＣＴＬ１、ＣＴＬ２に起動制御信号を出力するロジック回路である。ロジック回路の内容は後述するが、このロジックにより、入力端子ＳＷ０、ＳＷ１、ＳＷ２に同時にオン信号を入力した場合には所定の順番で起動制御信号の出力がなされ、個別に入力端子ＳＷ０、ＳＷ１、ＳＷ２のいずれかにオン信号が入力された場合には、単独で起動制御信号の出力を行う起動制御が実現される。
【００２６】
ソフトスタート起動回路２０、２１、２２は、オン信号が入力されたときに、ソフトスタートを起動させるための回路である。ソフトスタートは、設定入力が急激に変化しても、出力をゆるやかに変化させ、突入電流を抑える起動方法である。図２に、ソフトスタートの例を示す。
【００２７】
図２は、入力端子ＳＷｎの入力信号と、出力端子ＶＯＵＴｎの出力信号の起動タイミングを示すタイミングチャートである。図２において、左側のＳＷ０がＯＮになっているタイミングの入力スイッチ端子ＳＷ０と、対応する電圧出力端子ＶＯＵＴ０の関係に着目すると、ＳＷ０がＯＮになり、Ｈの信号が出力されるのと同時に、ＶＯＵＴ０は出力電圧が立ち上がるが、すぐに出力電圧１００％を出力するのではなく、ｔＳＳＯＵＴ０の時間を掛けて徐々に立ち上がるように出力される。このような緩やかな出力電圧の立ち上がりが、ソフトスタート起動回路２０、２１、２２で実現される。なお、ソフトスタート起動回路２０、２１、２２は、ソフトスタートを実現できる回路として構成されていればよく、その種類や形式は問わない。例えばコンデンサ等を用いて構成されてもよい。
【００２８】
図１に戻り、ソフトスタート起動回路２０、２１、２２の内部に、ソフトスタートトリガ出力回路３０、３１、３２が設けられている。ソフトスタートトリガ出力回路３０、３１、３２は、ソフトスタートの起動状態を監視し、ソフトスタートのシャットダウン時はオフ信号、ソフトスタート期間中はオン信号、ソフトスタート終了後はオフ信号を、ソフトスタート信号出力端子３０ａ、３１ａ、３２ａから出力する。図３に、ソフトスタートトリガ出力回路３０、３１、３２の出力信号の例を示す。
【００２９】
図３は、同時に入力スイッチ端子ＳＷ０、ＳＷ１、ＳＷ２がオンされ、ＣＨ０、ＣＨ１、ＣＨ２と順次起動を行っている場合の、ソフトスタート信号出力端子３０ａ、３１ａ、３２ａから出力されたソフトスタート信号を示した図である。
【００３０】
図３において、例えば、ＣＨ０のソフトスタート信号出力端子であるＣＨ０  ＳＳＴＲＩＧ（ソフトスタートトリガ）に着目すると、入力スイッチ端子ＳＷ０、ＳＷ１、ＳＷ２がオンしたのと同時に、ＣＨ０のソフトスタートが開始する。ソフトスタート起動前はオフ信号、ＣＨ０のソフトスタート期間中は、ＶＤＤ（Ｖ）のオン信号を出力している。そしてソフトスタートが終了すると、オン信号の方形波が立ち下がり、オフ信号を出力する。
【００３１】
次いで、ＣＨ０のソフトスタートが終了するのと同時にＣＨ１のソフトスタートが開始するが、このときＣＨ１  ＳＳＴＲＩＧも同様に、ソフトスタート期間中のみオンの方形波を出力する。ＣＨ２も同様である。
【００３２】
このように、ソフトスタートトリガ出力回路３０、３１、３２は、ソフトスタート期間中のみＨを出力し、後述する起動制御信号発生ロジック１１、１２の入力信号となり、ソフトスタートの起動状態を示す役割を果たす。
【００３３】
図１に戻り、電圧変換部６０、６１、６２の説明をする。電圧変換部６０、６１、６２は、入力電圧に基づいて、電圧変換を行い、出力端子ＶＯＵＴ０、ＶＯＵＴ１、ＶＯＵＴ２から負荷に供給する電圧を出力する。図２において説明したように、ソフトスタート起動時は徐々に電圧が立ち上がり、ソフトスタート起動後は一定の電圧を供給するようにしてよい。このような起動制御は、起動制御信号出力端子ＣＴＬ０、ＣＴＬ１、ＣＴＬ２から送られてくる起動制御信号により実行されてよい。また、出力電圧は、端子毎に異なっていてもよい。なお、電圧変換部６０、６１、６２の種類や形式は問わず、入力電圧に基づいて所望の電圧に変換して出力する機能を達成できれば何でもよい。
【００３４】
次に、図１を用いて本実施例に係る起動制御回路１００及びこれを用いた多出力電源装置の動作について説明する。
【００３５】
まず、例えば入力端子ＳＷ０、ＳＷ１、ＳＷ２が接続線８０、８１により接続されており、入力端子ＳＷ０、ＳＷ１、ＳＷ２に同時にオン信号が入力された場合について説明する。
【００３６】
入力端子ＳＷ０、ＳＷ１、ＳＷ２に同時にオン信号が入力されたときには、入力端子ＳＷ０の入力信号は、ＣＨ０ソフトスタート起動回路２０に向かう。そして、途中でまず１つ目の分岐点Ａから、オン信号が起動制御信号発生ロジック１１に入力される。一方、ＣＨ０ソフトスタート起動回路２０の方に真っ直ぐ進んだ信号は、Ｂ点で起動制御信号出力端子ＣＴＬ０をオン状態にし、そのオン信号はＣＨ１起動制御信号発生ロジック１１に入力されるとともに、他方はそのまま真直ぐ進み、ＣＨ０ソフトスタート起動回路２０に入力される。ＣＨ０ソフトスタート起動回路２０では、オン信号の入力によりソフトスタートが起動する。ＣＨ０ソフトスタート起動回路２０の内部に設けられたソフトスタートトリガ出力回路３０は、ソフトスタートの起動状態を監視しており、ソフトスタートの起動と同時に、ソフトスタート期間中はＨのソフトスタート信号をソフトスタート信号出力端子３０ａから出力する。出力されたソフトスタート信号は、ＣＨ１起動制御信号発生ロジック１１に入力される。
【００３７】
一方、入力端子ＳＷ１に入力された入力信号は、ＣＨ１起動制御信号発生ロジック１１に入力されるとともに、Ｃ点で分岐して同時にＣＨ２起動制御信号発生ロジック１２に入力される。つまり、入力端子ＳＷ１からの入力信号は、ＣＨ１起動制御信号発生ロジック１１の入力を構成しているとともに、ＣＨ２起動制御信号発生信号ロジック１２の入力も構成している。ＣＨ１起動制御信号発生ロジック１１においては、後述するロジックに従い、起動制御信号出力端子ＣＴＬ１の起動制御信号のオン・オフが定められ、それによりＣＨ１ソフトスタート起動回路２１の起動が制御される。また、起動制御信号出力端子ＣＴＬ１の起動制御信号は、ＳＷ１の入力信号と同様に、ＣＨ２起動制御信号発生ロジック１２の入力を構成しているので、そのオン・オフ信号がＤ点から分岐してＣＨ２起動制御信号発生ロジック１２にも送られる。
【００３８】
ＣＨ１ソフトスタート起動回路２１は、起動制御信号出力端子ＣＴＬ１のオン信号によりＣＨ１のソフトスタートを起動させる。ＣＨ１ソフトスタート起動回路２１内に備えられたソフトスタートトリガ出力回路３１は、上述のように、ソフトスタート起動状態を監視し、ソフトスタート期間中はオン信号、それ以外はオフ信号を出力するようになっている。ソフトスタートトリガ出力回路３１のソフトスタート信号は、ソフトスタート信号出力端子３１ａから出力され、これもＣＨ２起動制御信号発生ロジック１２の入力を構成している。
【００３９】
同様に、入力端子ＳＷ２に入力された入力信号は、ＣＨ２起動制御信号発生ロジック１２に入力される。ＣＨ２起動制御信号発生ロジック１２では、上述のＣＨ１からの入力端子ＳＷ１、起動制御信号出力端子ＣＴＬ１、ソフトスタート信号出力端子３１ａからの入力信号と、ＣＨ２における入力端子ＳＷ２及びソフトスタート信号出力端子３２ａからの信号を入力とし、後述するロジックに従って、起動制御信号出力端子ＣＴＬ２から出力される起動制御信号のオン・オフを制御する。
【００４０】
入力端子ＳＷ０、ＳＷ１、ＳＷ２が同時にオンされたときは、入力端子ＳＷ０に係る端子ＣＨ０のオン信号は、すぐソフトスタート起動回路３０に入力されるので、ソフトスタートはすぐ起動する。しかし、その後は、ＣＨ０の端子のソフトスタート終了後にＣＨ１の端子のソフトスタートが起動するように、ソフトスタート出力信号出力端子３０ａの信号変化がトリガとなるように、ＣＨ１起動制御信号発生ロジック１１でロジックが組まれている。同様に、ＣＨ１のソフトスタート起動後に、ＣＨ２の端子のソフトスタートが起動するように、起動制御信号発生ロジック１２もロジックが組まれている。つまり、入力端子ＳＷ０、ＳＷ１、ＳＷ２が同時にオンされたときは、設定された起動順序に従って、各端子のソフトスタートが順次起動するような制御がなされるように起動制御回路１００が構成されているのである。
【００４１】
なお、各端子において、ソフトスタートが起動したら、入力電圧に基づいて、電圧変換部６０、６１、６２で電圧が変換され、出力端子ＶＯＵＴ０、ＶＯＵＴ１、ＶＯＵＴ２から出力電圧を出力してよい。また、ソフトスタート起動後は、一定の出力電圧を出力するように構成してよい。
【００４２】
また、例えば接続線８０のみを用いて入力端子ＳＷ０、ＳＷ１のみを接続して同時にオンさせた場合には、ＣＨ０とＣＨ1の端子間でのみ、このような順次起動動作がなされ、ＣＨ２の端子は個別にオンされない限り、起動されないことになる。このような実施の態様で、本実施例を適用してもよい。
【００４３】
次に、個別起動の場合について説明する。
【００４４】
例えば、接続線８０、８１が接続されず、例えば入力端子ＳＷ２が単独でオンされたとすると、オン信号はＣＨ２起動制御信号発生ロジック１２に入力される。ＣＨ２ソフトスタート起動回路２２内のソフトスタートトリガ出力端子３２ａは、起動制御信号発生ロジック１２の入力端子となっており、まだＣＨ２のソフトスタートが起動していない状態では、オフの状態であるので、ＣＨ２起動制御信号発生ロジック１２にはオフ信号が入力される。
【００４５】
また、入力端子ＳＷ１は、オフ状態であるので、ＣＨ２起動制御発生信号ロジック１２の入力である、ＣＨ１の入力端子ＳＷ１、起動制御信号出力端子ＣＴＬ１、ソフトスタート信号出力端子３１ａからは、オフ信号が入力される。
【００４６】
起動制御信号発生ロジックでは、後述するロジック処理に従って、制御信号出力端子ＣＴＬ２から起動制御信号が出力され、オン信号が出力されれば、ソフトスタート起動回路２２によりソフトスタートが個別に起動することになる。このとき、入力端子ＳＷ２は、ＳＷ０及びＳＷ１には接続されていないので、オン信号が入力されても、ＳＷ０、ＳＷ１に係る端子ＣＨ０とＣＨ１には影響を与えず、ＣＨ０又はＣＨ１が連動して起動することはない。また、ＣＨ２に備えられた入力端子ＳＷ２、起動制御信号出力ＣＴＬ２、ソフトスタート信号出力端子３２ａは、ＣＨ１の起動制御信号発生ロジック１１の入力を構成していないので、ＣＨ２の各端子の信号のオン・オフ変化は、ＣＨ１のロジック処理には影響を与えないような構成となっている。
【００４７】
なお、本実施例に係る制御回路１００は、他の入力端子ＳＷ０又はＳＷ１が個別にオンされた場合についても同様の動作をする。
【００４８】
このように、本実施例に係る起動制御回路１００及びこれを用いた多出力電源装置は、起動順が優先する端子の状態変化は次に起動する端子の起動に影響を与え、設定された起動の優先順が下位の端子の起動は、上位の端子に影響を与えないような構成となっているのである。
【００４９】
また、図１においては、説明の容易のために、ＣＨ０、ＣＨ１、ＣＨ２の３端子で説明したが、もっと多くの端子、例えばＮ個の端子が設けられている場合であっても、同様に適用してよいことは言うまでもない。
【００５０】
次に、本実施例に係る起動制御回路１００及びこれを用いた多出力電源装置の入力信号と出力信号の関係を、タイミングチャートを用いて説明する。
【００５１】
図２は、入力端子ＳＷ０、ＳＷ１、ＳＷ２毎に個別にオン信号を入力してソフトスタート起動させた場合と、総ての入力端子ＳＷ０、ＳＷ１、ＳＷ２に同時にオン信号を入力して順次ソフトスタート起動させた場合の出力電圧ＶＯＵＴｎとの関係のタイミングチャートの比較を示している。
【００５２】
図２において、左側のタイミングチャートは、個別起動及び個別終了の例を示している。左側の図において、ＳＷ０がＯＮした時に同時にＶＯＵＴ０がソフトスタート起動し、少し時間を空けてＳＷ１がＯＮしたら、同時にＶＯＵＴ１がソフトスタート起動している。ＳＷ２とＶＯＵＴ２の関係も同様である。そして、ＳＷ０をＯＦＦした時も、同時にＶＯＵＴ０のソフトダウンが開始している。ＳＷ１とＶＯＵＴ１、ＳＷ２とＶＯＵＴ２との関係も同様である。
【００５３】
一方、右側のタイミングチャートは、入力端子同時オンによる順次スタートの例を示している。右側の図において、ＳＷ０、ＳＷ１、ＳＷ２が同時にＯＮしたときに、ＶＯＵＴ０のみがまずソフトスタート起動している。続いて、ＶＯＵＴ０のソフトスタートの終了と同時に、ＶＯＵＴ１のソフトスタートが起動している。ＶＯＵＴ２も同様の動作を行っている。そして、ＳＷ０、ＳＷ１、ＳＷ２が同時に総てＯＦＦするのと同時に、ＶＯＵＴ０、ＶＯＵＴ１、ＶＯＵＴ２が同時にソフトダウンしている。
【００５４】
図２より、個別のときは起動も終了も個別に行われるので任意のタイミングで起動及び終了でき、各々の入力端子ＳＷ０、ＳＷ１、ＳＷ２を連動させたときには、起動時はソフトスタートの順次起動、終了時は同時にソフトダウンの立下りとなっていることが理解できる。
【００５５】
図４は、入力端子ＳＷ０、ＳＷ１、ＳＷ２を接続して同時にオンさせた順次起動の場合に、図１に示した動作を分かり易くするために、図１の必要部分を取り出した変形図である。
【００５６】
図４において、ソフトスタート起動回路２０、２１、２２からソフトスタートトリガ出力回路３０、３１、３２のみを抜き出し、入力端子ＳＷ０、ＳＷ１、ＳＷ２の近くに移動させている。これにより、起動制御信号発生ロジック１１で実行するロジック処理の入力と出力との関係がより明確になる。
【００５７】
図４において、ＣＨ１起動制御信号発生ロジック１１は、入力端子ＳＷ０、起動制御信号出力端子ＣＴＬ０及びソフトスタート信号出力端子ＣＨ０  ＳＳＴＲＩＧを入力端子ＳＷ０に係る端子からの入力としている。また、同様に、ＣＨ１起動制御信号発生ロジック１１は、入力端子ＳＷ１及びソフトスタート信号出力端子ＣＨ１  ＳＳＴＲＩＧを入力端子ＳＷ１に係る端子からの入力としている。このように、起動順位が先の端子からの信号と、自己の端子の信号を各々入力信号とし、これらの入力信号に基づいて、ＣＨ１起動制御信号発生ロジック１１は、起動制御信号出力端子ＣＴＬ１の信号出力を行う。
【００５８】
一方、ＣＨ２起動制御信号発生ロジック１２においては、前の順番のＳＷ１に係る端子からの入力は、入力端子ＳＷ１、起動制御信号出力端子ＣＴＬ１及びソフトスタート信号出力端子ＣＨ１  ＳＳＴＲＩＧとなっている。そして、同様に、自己の端子のＳＷ２に係る端子からは、入力端子ＳＷ２、起動制御信号出力端子ＣＴＬ２及びソフトスタート信号出力端子ＣＨ２  ＳＳＴＲＩＧを入力としている。
【００５９】
このような構成とすることにより、例えば、ＣＨ１起動制御信号発生ロジック１１では、起動制御信号出力端子ＣＴＬ１がオンを出力するためには、前の起動順の端子のソフトスタート信号出力端子ＣＨ０  ＳＳＴＲＩＧの信号状態が一定の条件を満たす必要があるようなロジック、即ち、ソフトスタートの起動状態がトリガとなって、起動制御信号の出力がなされるようなロジックを組むことが可能となる。
【００６０】
同様に、ＣＨ２起動制御信号発生ロジック１２においても、起動制御信号出力端子ＣＴＬ２がオンを出力するためには、ソフトスタート信号出力端子ＣＨ１  ＳＳＴＲＩＧの信号状態が一定条件を満たす必要があるようなロジックを組むことが可能となる。つまり、前の順番の優先度の高い端子のソフトスタート起動状態により、優先度の低い次の端子の起動制御信号の出力状態を定めるようなロジックを組むことが可能となる。
【００６１】
次に、図５を用いて、図１及び図４における起動制御信号発生ロジック１１、１２の内部回路について説明する。図５は、起動制御信号発生ロジック１１、１２の内部回路構成を示した図である。
【００６２】
内部回路構成の主要構成要素は、優先端子状態監視回路１３と個別起動オン制御回路１４に大別される。それ以外の部分では、個別起動オン制御回路１４の出力信号Ｗと、ｎ番目の入力端子ＳＷｎとのＡＮＤ回路で、最終的な起動制御出力信号出力端子ＣＴＬｎの信号が定められるように構成されている。従って、ＣＴＬｎがオンとなるためには、ＳＷｎがオンでかつ、個別起動オン制御回路１４の出力Ｗがオンとなることが必要である。一方、ＳＷｎをオフにすると、そのＡＮＤ出力であるＣＴＬｎは同時にオフとなるので、ＳＷｎをオフにしたときの両者の出力は連動している。従って、個別起動オン制御回路の出力Ｗの状態をどのようにするかが、起動制御信号発生ロジック１１、１２の実質的な内容となる。以下、この点を踏まえて、起動制御信号発生ロジック１１、１２の構成について詳説する。
【００６３】
優先端子状態監視回路は、入力端子ＳＷ０、ＳＷ１、ＳＷ２を同時にオン状態にしたときに、所定の設定された起動順における、優先する順位の端子の状態を監視するための回路である。従って、優先端子状態監視回路の入力端子は、出力状態を最終的に定める端子の前の順番の端子の信号を入力するように構成されている。具体的には、起動制御信号の出力を定めようとしている注目している端子をｎ番目（ｎは自然数）の端子とすれば、（ｎ−１）番目の端子からの信号を入力信号としている。注目している端子が（ｎ＋１）番目の端子のときは、ｎ番目の端子が優先順位の端子となり、ｎ番目の信号が優先端子状態監視回路に入力されることになる。
【００６４】
図５においては、ＳＷｎ−１、ＣＴＬｎ−１及びＣＨｎ−１ＳＳＴＲＩＧが入力端子を構成している。ここで、優先端子状態監視回路の出力をＸとすると、Ｘのロジック回路出力は以下のようになる。
【００６５】
【数１】
2008102707.tif 000003
図１乃至図４において説明したように、ＣＴＬｎ−１は（ｎ−１）番目の端子の起動制御信号出力端子であり、ＣＨｎ−１  ＳＳＴＲＩＧは（ｎ−１）番目の端子のソフトスタート信号出力端子である。また、ＣＨｎ−１  ＳＳＴＲＩＧはソフトスタート期間中にオンを出力し、それ以外はオフ信号を出力する。従って、Ｘを示す論理式の最初の項は、ソフトスタート期間以外のときで起動制御信号がオンのときにオン信号を出力することを意味する。ここで、図１又は図４に示したように、起動制御信号出力端子ＣＴＬｎ−１がオンであるためには、入力端子ＳＷｎ−１がオンになっている必要があるから、実質的に最初の項は、ソフトスタート終了後の状態にオンとすることを意味している。
【００６６】
また、最後の項は、入力スイッチ端子ＳＷｎ−１がオフ状態にあることを意味しているので、（ｎ−１）番目の端子が起動していない状態であることを意味している。このとき個別に次の順番のｎ番目の端子が個別にオンしても、Ｘの出力はオンとなるので、そのオンを妨げることはない。
【００６７】
以上から、Ｘは、ソフトスタート終了後又は起動していない状態でオン状態となり、優先端子状態監視回路１３は、（ｎ−１）番目の端子がソフトスタート終了後か、又は全く起動していない状態に次の順位のｎ番目の端子のソフトスタート起動可能信号を出力することになる。
【００６８】
次に、個別起動オン制御回路１４の構成内容及び動作について説明する。まず、個別起動オン制御回路のＺ点における出力信号を考える。Ｚは以下の論理式で表現される。
【００６９】
【数２】
2008102707.tif 000004
これは、Ｘの論理式の最初の項と同様に、ｎ番目の端子の起動制御信号出力端子ＣＴＬｎがオンで、かつソフトスタート期間でないときにオンとなることを示している。起動制御信号出力端子ＣＴＬｎがオンとなるためには、図１で説明したように、入力端子ＳＷｎがオンである必要があるので、Ｗは実質的に、ソフトスタート終了後にオン状態となることを意味する。つまり、個別起動オン制御回路１４は、ソフトスタート終了後は、独立してｎ番目の端子のオン信号を維持することができることを意味する。しかし、ソフトスタート期間中は、オン状態とはならないので、ｎ番目の入力端子ＳＷｎにオン信号が入力されても、次にソフトスタートに入ったときに、Ｚ点におけるオン状態は独自には維持できないことを示している。
【００７０】
次に、個別起動オン制御回路１４の出力Ｗについて考える。Ｗを論理式で表すと、以下のようになる。
【００７１】
【数３】
2008102707.tif 000005
この式において、ｎ番目の端子を入力とする３番目の項は、上述のようにソフトスタート終了後は、オン信号を維持できることを意味している。しかし、ｎ番目の端子を起動させるためには、ソフトスタート期間中にＷがオン状態になっていることが必要である。
【００７２】
このため、ｎ番目の端子のソフトスタート期間中は、（ｎ−１）番面の端子の状態により定まる出力Ｘ、即ちＷの式の１番目か２番目の項のオン信号に依存して、ＣＴＬｎのオン信号を維持する必要がある。上述のように、出力Ｘは、（ｎ−１）番目の端子のソフトスタート期間終了後と、（ｎ−１）番目の端子が起動していないときにオン信号を出力する。
【００７３】
従って、（ｎ−１）番目の端子のソフトスタート終了後か、起動していないときにｎ番目の端子がソフトスタートを起動できることになる。前者は、（ｎ−１）番目の入力端子とｎ番目の入力端子を同時起動させた場合に合致し、後者はｎ番目の入力端子を個別起動させたときの場合と確かに合致している。
【００７４】
次に、個別起動オン制御回路１４の出力Ｗがオン状態であり、かつｎ番目の入力端子ＳＷｎもオン状態であれば、起動制御信号出力端子ＣＴＬｎには、オン信号が出力される。一方、（ｎ−１）番目の端子状態により、優先端子状態監視回路１３からオン信号が出力されて個別起動オン制御回路の出力Ｗからオン信号が出力されていても、ｎ番目の入力端子ＳＷｎがオン状態にならなければ、ｎ番目の起動制御信号出力端子ＣＴＬｎはオンとならないように構成されている。
【００７５】
以上説明したように、本実施例に係る起動制御発生ロジック１１、１２は、前の順番の、優先して立ち上がるべき（ｎ−１）番目の端子の状態を優先端子状態監視回路１３で監視し、個別に立ち上がった後はオン状態を維持できるが、立ち上がりのソフトスタートは優先端子状態監視回路１３からのオン信号に依存しなければ起動されない個別起動オン制御回路１４を組み合わせ、ソフトスタート期間中の状態を示すソフトスタート信号をうまく利用することにより、複雑な場合分けを要する制御を簡素なロジック回路で実現しているのである。
【００７６】
なお、本実施例の説明において、（ｎ−１）番目の端子とｎ番目の端子との関係において説明したが、これは単に連続する順位を示しているに過ぎないので、ｎ番目と（ｎ＋１）番目との関係も、他の連続する端子についても、どのように表現されていても同様であることは言うまでもない。
【００７７】
次に、本実施例に係る起動制御回路１００を動作させた場合の、具体的な例について説明する。
【００７８】
図６は、図１又は図４における端子ＣＨ１と端子ＣＨ２について、入力端子ＳＷ１とＳＷ２を接続線８０により接続して、同時にオン状態にしたときの、起動制御回路１００の信号状態を示すタイミングチャートである。なお、図６の左に示されている項目は、図５に示されている位置と一致している。
【００７９】
図６において、ＳＷ１とＳＷ２に同時にオン信号（Ｈ）が入力されると、まずＳＷ１に対応する起動制御信号出力端子ＣＴＬ１とソフトスタート信号出力端子ＣＨ１  ＳＳＴＲＩＧが同時にオンとなる。これは、図５において説明したように、前の端子（ｎ−１）のＳＷ０に係る端子が起動していないときは、優先端子状態監視回路１３の出力Ｘは常にオン出力であるので、個別起動オン制御回路１４の出力Ｗも常にオンであり、次の順位のｎの端子ＳＷ１がオンになったら、同時にＣＴＬ１はオンになるように、起動制御信号発生ロジック１１は構成されている。また、図１又は図４において、ＣＴＬ１がオンとなったら、そのオン信号が同時にＣＨ１ソフトスタートトリガ出力回路３１に入力されるので、ＣＴＬ１のオンと同時にＣＨ１  ＳＳＴＲＩＧもオンとなり、ソフトスタートが起動することが分かる。
【００８０】
ここで、図６において、ＣＨ１のソフトスタート期間中、ＣＨ１  ＳＳＴＲＩＧはオン状態となっているが、このとき、まだＣＨ２のＣＴＬ２及びＣＨ２  ＳＳＴＲＩＧはオフ状態のままである。これは、図５においてｎ＝２の場合を考えると、（ｎ−１）番目の端子のＳＷ１、ＣＴＬ１、ＣＨ１  ＳＳＴＲＩＧは上述のように総てオンの状態なので、Ｙはオンとなり、優先端子状態監視回路１３の出力Ｘは、ソフトスタート期間中は、オフが出力される。このとき、図５において説明したように、ｎ番目の端子のＳＷ２に対応するＣＴＬ２とＣＨ２  ＳＳＴＲＩＧは、優先端子状態監視回路１３からオン信号が出力されない限り、ソフトスタートを起動することができないので、ＣＴＬ２及びＣＨ２  ＳＳＴＲＩＧはオフのままとなる。
【００８１】
次に、図６に示すように、ＣＨ１のソフトスタートが終了すると、ＣＨ１  ＳＳＴＲＩＧはオフになる。このとき、ＣＨ１  ＳＳＴＲＩＧがオフに切り替わるのと同時に、Ｙはオンからオフへ、Ｘはオンからオフへと切り替わる。それに伴い、ＣＨ２のＣＴＬ２及びＣＨ２  ＳＳＴＲＩＧはオフからオンに切り替わり、ＣＨ２のソフトスタートが起動する。これは、ＣＨ１のソフトスタート期間中は、上述のように優先端子状態監視回路１３の出力Ｘはオフ状態であったが、ソフトスタート終了後にＣＨ１  ＳＳＴＲＩＧがオフに切り替わるので、Ｙがオフに切り替わり、従ってＸの出力は反転してオンに切り替わるからである。
【００８２】
即ち、ソフトスタート終了後に、Ｘはオンを出力する。そして、このＸのオン信号を受けて、ＳＷ２はオン状態であるから、ＡＮＤ回路の出力としてＣＴＬ２はオン信号が出力される。これにより、ＣＨ２のソフトスタートが起動し、ＣＨ２  ＳＳＴＲＩＧからオン信号が出力されるが、これは他の信号には特に影響を与えない。もし、ＣＨ３が存在すれば、ＣＨ２  ＳＳＴＲＩＧがオフになったときに、ＣＨ３のソフトスタートが起動することになる。
【００８３】
このように、入力端子同士を接続して、同時にオン入力したときには、確かに順次起動するように構成されている。
【００８４】
図７は、入力スイッチ端子ＳＷ１とＳＷ２を接続することなく、ＣＨ１が個別に起動して、ソフトスタートが終了してからＣＨ２を個別に起動した場合の起動制御回路１００の動作を示すタイミングチャートである。
【００８５】
図７において、ＳＷ１がオンすると、上述のように、同時にＣＴＬ１とＣＨ１  ＳＳＴＲＩＧがオン状態になる。このとき、図６で説明したのと同様に、Ｙの信号状態は、ＣＴＬ１の否定とＣＨ１  ＳＳＴＲＩＧのＯＲ回路の出力なので、オン状態となる。ＳＷ１はオンであるから、ＹとＳＷ１のＮＡＮＤ回路の出力であるＸはオフ信号である。
【００８６】
次に、ＣＨ１のソフトスタートが終了すると、ＣＨ１  ＳＳＴＲＩＧはオフに変わるが、ＣＴＬ１はオンのままであるから、Ｙはオフに変わる。次に、ＳＷ１はオンであり、ＳＷ１とＹのＮＡＮＤ回路の出力であるＸは、オン状態となる。従って、優先端子状態監視回路１３の出力Ｘは、ＣＨ１のソフトスタート起動後は常にオン信号を出力し、ＳＷ２がソフトスタート起動可能な状態を保つことになる。
【００８７】
次に、この状態でＳＷ２がオンとなると、個別起動オン制御回路１４の出力であるＷは常にオン状態であるから、ＣＴＬ２はオンとなり、ＣＨ２  ＳＳＴＲＩＧからソフトスタート信号のオン信号を出力する。そしてソフトスタートが終了してこれがオフになった後は、Ｚは常にオンとなり、独立してＣＴＬ２のオン状態を保つ。また、Ｘもオン状態が保たれたままである。
【００８８】
このように、所定の順番と同じ順番で、各端子を個別起動してもよい。これにより、ソフトスタートを起動するタイミングを、ユーザの都合に応じて、通常の順次起動のタイミングよりも遅らせて起動することができる。
【００８９】
図８は、ＣＨ２の端子を個別起動させた後、ＣＨ１の端子を個別起動させた場合の起動制御回路１００の動作を示すタイミングチャートである。つまり、設定された優先起動順と逆に個別起動させる場合を示している。
【００９０】
図５及び図８において、ｎ＝２の場合を考えると、ＳＷ１に係る端子が総てオフ状態のとき、優先端子状態監視回路１３の出力Ｘはオン状態であり、ここでＳＷ２をオン状態とすると、ＣＴＬ２がオンとなる。ＣＴＬ２がオンになれば、図１又は図４の結線関係から、ＣＨ２ソフトスタートトリガ出力回路３２にオン信号が入力される。従って、ＳＷ２がオンになると、図８に示すように、ＣＴＬ２及びＣＨ２  ＳＳＴＲＩＧは同時にオンになる。
【００９１】
そして、ＣＨ２はソフトスタートを起動し、図８に示すように、ＣＨ２のソフトスタート起動中は、ＣＨ２  ＳＳＴＲＩＧはオン信号を出力する。このとき、図５のＺの信号状態はオフであるが、Ｘがオンであるので、Ｗのオン状態は維持され、ソフトスタートはそのまま継続する。また、ソフトスタート終了後は、ＣＨ２  ＳＳＴＲＩＧはオフに切り替わり、個別起動オン制御回路１４で独立してＺの信号をオンに保てるので、Ｗは常にオンとなり、ＣＴＬ２のオン状態も保たれる。
【００９２】
次に、この状態でＳＷ１がオンとなると、ＣＴＬ１とＣH１  ＳＳＴＲＩＧも同時にオンとなり、ＣＨ１のソフトスタートが起動する。ＣＨ１  ＳＳＴＲＩＧは、ソフトスタート期間中はオンとなるので、Ｙの出力もオンとなり、このとき優先端子状態監視回路１３の出力Ｘは、オフが出力される。しかし、ＣＨ２は既に立ち上がってソフトスタートが終了しているので、ＣＴＬ２のオン状態を自分で保つので、このオフ信号には影響されない。
【００９３】
次に、ＣＨ１のソフトスタートが終了すると、ＣＨ１  ＳＳＴＲＩＧはオフとなり、優先端子状態監視回路１３の出力Ｘもオンに切り替わる。
【００９４】
このように、優先順位を逆にしてソフトスタートを起動しても、優先順位の低いＣＨ２が既にソフトスタート期間を終了していれば、独自にＣＴＬ２のオン状態を保つので、ＣＨ１のソフトスタート起動には影響されない回路構成となっている。
【００９５】
図９は、ＣＨ２が先に起動し、まだソフトスタート期間中であるときに、ＣＨ１の入力端子ＳＷ１にオン信号が入力された場合の起動制御回路１００の動作のタイミングチャートを示した図である。これは、個別に起動したと考えてもよいし、ＳＷ１とＳＷ２が接続され、同時にオンとされたが、何らかの理由で同時ではなくＳＷ２が少し先に起動した状態と考えてもよい。
【００９６】
図９において、まずＳＷ１がオフ状態でＳＷ２がオンとなったときには、ＣＨ２は上述のようにソフトスタート起動できるので、ＣＴＬ２とＣＨ２  ＳＳＴＲＩＧは同時にオンとなり、ソフトスタート起動を開始する。
【００９７】
次に、この状態でＳＷ１がオンになった場合を考える。ＳＷ１は、優先順位にあるので、特に制約無くＳＷ１とＣＴＬ１とＣＨ１  ＳＳＴＲＩＧが同時にオンする。ＣＨ１  ＳＳＴＲＩＧは、ソフトスタート期間中はオンとなるので、図５におけるＹの信号状態は、オン状態となる。ＳＷ１はオンであり、ＹとのＮＡＮＤ回路出力がＸであるので、Ｘはオフが出力され、起動前のオン状態からオフ状態に切り替わる。ここで、優先端子状態監視回路１３の出力Ｘがオフ状態であると、個別起動オン制御回路１４内のＺは、ソフトスタート期間中はオフとなるので、個別起動オン制御回路１４の出力Ｗはオフとなる。よって、起動制御信号出力端子ＣＴＬ２もオフとなってしまい、ＣＨ２のソフトスタート起動は維持できずに中止されてしまう。ＣＨ２  ＳＳＴＲＩＧもオンからオフに切り替わる。
【００９８】
次に、ＣＨ１のソフトスタートが終了すると、ＣＨ１  ＳＳＴＲＩＧはオフに切り替わり、従ってＹもオフに切り替わる。一方、ＳＷ１はオンのままであるから、これとのＮＡＮＤ出力である優先端子状態監視回路１３の出力Ｘは、オンに切り替わる。そうすると、ＣＨ２は、ソフトスタートを起動できる状態となるので、ＣＴＬ２がオンとなり、再びソフトスタートが起動する。ソフトスタート起動中は、ＣＨ２  ＳＳＴＲＩＧがオンになり、終了後はオフとなるが、これはＣＨ１には何ら影響を与えない。また、ソフトスタート終了後は、独立してＣＴＬ２のオン状態を維持することになる。
【００９９】
このように、ソフトスタートのタイミングが重なったときには、優先順位が早い端子のソフトスタートを完了させ、ソフトスタート終了後に次の端子のソフトスタートを開始させることにより、原則は優先度順に立ち上げ、問題の無いときに例外的に個別起動を実行することができ、電源起動の際の安全性を高めることができる。
【０１００】
なお、図６乃至図９において、理解の容易のために端子を具体的にしてＣＨ１とＣＨ２との関係で説明したが、（ｎ−１）番目とｎ番目、ｎ番目と（ｎ＋１）番目というように、連続する端子に一般化して適用できることは言うまでもない。
【０１０１】
図１０は、図５とは異なる態様の起動制御信号発生ロジック１１ａ、１２ａを示した図である。図１０において、優先端子状態監視回路１３ａが、直前の端子の状態だけでなく、優先順位の先の端子の総てを監視するように構成された点で図５の態様とは異なっている。
【０１０２】
図１０において、ｎ番目の端子より前の順位の入力端子ＳＷ０〜ＳＷｎ−１と、ソフトスタート信号出力端子ＣＨ０  ＳＳＴＲＩＧ〜ＣＨｎ−１  ＳＳＴＲＩＧのＮＡＮＤ出力をＡＮＤ回路の入力としている。これにより、総ての端子のソフトスタートが終了した時点で、起動制御信号出力端子ＣＴＬｎをオンとし、ソフトスタートを開始する回路が実現できる。この回路においては、例えば、入力端子ＳＷｎ−２とＳＷｎのみ互いに接続して起動オンさせた場合、ＣＨｎ−２のソフトスタート終了後、ＣＨｎのソフトスタートが起動することになる。このように、任意の組み合わせで接続して、設定起動順が連続していない端子についても、同時オンの順次起動と個別起動の動作をするように設定できる。
【０１０３】
図５に示した優先端子状態監視回路１３と、図１０の態様の優先端子状態監視回路１３ａを組み合わせることにより、入力スイッチ端子ＳＷの接続方法によって、様々な起動順となる回路を作成することに対応可能となる。
【０１０４】
以上、本発明の好ましい実施例について詳説したが、本発明は、上述した実施例に制限されることはなく、本発明の範囲を逸脱することなく、上述した実施例に種々の変形及び置換を加えることができる。
【図面の簡単な説明】
【０１０５】
【図１】本発明に係る起動制御回路１００を多出力電源装置に適用する実施例の一態様を示した機能ブロック図である。
【図２】端子毎に個別ソフトスタート起動させた場合と、総ての入力端子に同時にオン信号を入力して順次ソフトスタート起動させた場合の比較を示している。
【図３】順次起動時のソフトスタート信号を示した図である。
【図４】入力端子を同時にオンさせる順次起動の場合に、図１に示した動作を分かり易くするために、図１の必要部分を取り出した変形図である。
【図５】起動制御信号発生ロジック１１、１２の内部回路構成を示した図である。
【図６】入力端子同士を接続し、同時にオン状態にしたときの、起動制御回路１００の信号状態を示すタイミングチャートである。
【図７】ＣＨ１の個別起動ソフトスタート終了後、ＣＨ２を個別起動した場合の起動制御回路１００の動作を示すタイミングチャートである。
【図８】ＣＨ２の端子を個別起動させた後、ＣＨ１の端子を個別起動させた場合の起動制御回路１００の動作を示すタイミングチャートである。
【図９】ＣＨ２のソフトスタート期間中、ＣＨ１のソフトスタートが開始した場合の起動制御回路１００の動作のタイミングチャートを示した図である。
【図１０】図５とは異なる態様の起動制御信号発生ロジック１１ａ、１２ａを示した図である。
【図１１】従来技術の多出力電源装置を示す図である。
【符号の説明】
【０１０６】
１１、１１ａ、１２、１２ａ    起動制御信号発生ロジック
１３、１３ａ    優先端子状態監視回路
１４    個別起動オン制御回路
２０、２１、２２    ソフトスタート起動回路
３０、３１、３２    ソフトスタートトリガ出力回路
３０ａ、３１ａ、３２ａ    ソフトスタート信号出力端子
６０、６１、６２    電圧変換部
８０、８１    接続線
１００    起動制御回路
【図１】
2008102707.tif 000006
【図２】
2008102707.tif 000007
【図３】
2008102707.tif 000008
【図４】
2008102707.tif 000009
【図５】
2008102707.tif 000010
【図６】
2008102707.tif 000011
【図７】
2008102707.tif 000012
【図８】
2008102707.tif 000013
【図９】
2008102707.tif 000014
【図１０】
2008102707.tif 000015
【図１１】
2008102707.tif 000016